(57)【要約】【課題】中通し竿の内部に水が入り込むのを防止するとともに、釣糸の滑動抵抗をなるべく阻害することのない、中通し竿用のトップガイドを提供する。【解決手段】このトップガイド１０は、穂先竿４の穂先側端部に取り付けられる部材であり軸方向に貫通したパイプ状の本体部１１と、本体部１１の穂先側の開口周縁に装着される水切用リング１２と、本体部１１の内部に軸方向に移動自在に収納される部材であり、本体部１１内に完全に収納される収納状態及び本体部１１・水切用リング１２の穂先側端部にその一部が突出する突出状態を採り得るパイプ状の移動体１３とを備える。【選択図】　　図２
2004097024.tif 000002
【特許請求の範囲】
【請求項１】
中通し竿を構成する穂先竿の穂先側端部に装着されるトップガイドであって、前記穂先竿の穂先側端部に取り付けられる部材であり軸方向に貫通したパイプ状の本体部と、
前記本体部の穂先側の開口周縁に装着される水切用リングと、
前記本体部の内部に軸方向に移動自在に収納される部材であり、前記本体部内に完全に収納される収納状態及び前記本体部・水切用リングの穂先側端部にその一部が突出する突出状態を採り得るパイプ状の移動体と
を備えるトップガイド。
【請求項２】
前記水切用リングはゴム部材であり、内周面に周方向に間隔を隔てた軸方向に伸びる複数の溝を有している、請求項１に記載のトップガイド。
【請求項３】
前記本体部は穂先側端部内周面に径内方向に突出する第１フランジを有し、
前記移動体は前記第１フランジに当接するための竿元側端部外周面に径外方向に突出する第２フランジを有している、請求項１又は２に記載のトップガイド。
【発明の詳細な説明】
【０００１】
【発明の属する技術分野】
本発明は、内部に釣糸が挿通可能な釣糸通路を有する中通し竿の穂先側端部に装着されるトップガイドに関する。
【０００２】
【従来の技術】
従来の中通し竿は、例えば、内部に釣糸が挿通可能な釣糸通路を有する元竿と、元竿の穂先側に連結され元竿同様に内部に釣糸通路を有する中竿と、中竿の穂先側に連結され釣糸通路を有する穂先竿とを有している。元竿には、リールを取り付け可能なリールシートが形成され、リールシートの穂先側にはリールからの釣糸を竿体内部の釣糸通路に導入するための釣糸導入口が形成されている。また、穂先竿の穂先側端部にはトップガイドが設けられている。
【０００３】
このトップガイドは、例えば、穂先竿の穂先側端部外周面に接着剤等で取り付けられた雄ねじ部材に脱着自在に螺合した筒状の本体部と、本体部の穂先側端部内にはめ込まれたセラミックリングを有している。そして、リールからの釣糸は釣糸導入口から竿体内部へ導かれて穂先側のトップガイドへ至り、トップガイドの本体部内を挿通してセラミックリングに支持されながら外部へ導出される。
【０００４】
このような中通し竿において問題となる点に、釣糸と共に水が竿体の釣糸通路内に入り込んで溜まってしまうという点がある。このような竿体内に溜まった水は、竿体の重量化や釣糸通路内での釣糸の滑動抵抗を低減させる一因となっている。そこで、釣糸がリールに巻き取られて水中から竿体内に入る入口部分であるトップガイドに、水切り用の部材を配置するトップガイドが提供されている。例えば、トップガイドの内部に環状水切り部材を配置したものがある（特許文献１参照）。このトップガイドでは、環状水切り部材の中心孔の内壁面に釣糸を当接させて釣糸から水を切り取り、釣糸と共に水が竿体内部に入り込んでしまうのを抑えている。
【０００５】
しかし、このようなトップガイドでは、常に釣糸が水切り部材に接触しているので、釣糸の導出時や巻き取り時等をも含めて常に釣糸の滑動抵抗が増加してしまう。このような釣糸の滑動抵抗の増加は、仕掛けの投げ入れや釣糸のリールへの巻き取りを阻害することになる。釣りを行う際にあっては、常に、釣糸に付着する水を排除する必要はない。例えば、キャスティングの際など釣糸が導出される際には「水切り」作業は不要であり、却って、仕掛けの飛距離を低下させる異になる。
【０００６】
【特許文献１】
特開平０９−０００１１７号公報（実施例１及び図１参照）
【０００７】
【発明が解決しようとする課題】
本発明の課題は、中通し竿の内部に水が入り込むのを防止するとともに、釣糸の滑動抵抗をなるべく阻害することのない、中通し竿用のトップガイドを提供することにある。
【０００８】
【課題を解決するための手段】
発明１の中通し竿は、中通し竿を構成する穂先竿の穂先側端部に装着されるトップガイドであって、穂先竿の穂先側端部に取り付けられる部材であり軸方向に貫通したパイプ状の本体部と、本体部の穂先側の開口周縁に装着される水切用リングと、本体部の内部に軸方向に移動自在に収納される部材であり、本体部内に完全に収納される収納状態及び本体部・水切用リングの穂先側端部にその一部が突出する突出状態を採り得るパイプ状の移動体とを備えている。
【０００９】
このトップガイドは中通し竿の穂先側端部に装着される。リールからの釣糸は各竿体内部を挿通してトップガイドの本体部及び移動体を挿通し、穂先側に導出される。
釣りを行っている最中にあって、水中に投ぜられ水が付着した釣糸から付着した水を排水したい場合には、釣人は釣竿を上方に傾けてトップガイドの本体部内の移動体を手元側に移動させて収納状態とする。この収納状態では、釣糸が本体部の穂先側の開口周縁に配置される水切用リングに当接して変角することになり、釣糸に付着した水がそぎ落とされ排水されることになる。
【００１０】
一方、水を排水する必要が無く円滑に釣糸を導出若しくは巻き取りたい場合には、釣人は釣竿を水平乃至下方に傾けてトップガイドの本体部内の移動体を穂先側に移動させて突出状態とする。また、キャスティングの際などにおいても、移動体は穂先側に移動して突出状態となる。この突出状態では、移動体が本体部・水切用リングの穂先側に突出しており、釣糸は水切用リングに接触することなく移動体に当接する。よって、釣糸の滑動抵抗が不当に増加することがない。
【００１１】
発明２のトップガイドは、発明１のトップガイドであって、水切用リングはゴム部材であり、内周面に周方向に間隔を隔てた軸方向に伸びる複数の溝を有している。
このトップガイドでは、滑動抵抗の大きいゴム部材からなる水切用リングがこれに接触した釣糸から効果的に水をそぎ落とす。また、複数の溝に釣糸がはまることで、水のそぎ落としがさらに効率的に為される。
【００１２】
発明３のトップガイドは、発明１又は２のトップガイドであって、本体部は穂先側端部内周面に径内方向に突出する第１フランジを有し、移動体は第１フランジに当接するための竿元側端部外周面に径外方向に突出する第２フランジを有している。
このトップガイドでは、突出状態にあって、移動体の第２フランジが本体部の第１フランジに当接することで、移動体が穂先側に飛び出さないようになっている。
【００１３】
【発明の実施の形態】
［第１実施形態］
以下、本発明の第１実施形態について図面を参照しつつ説明する。
本発明の第１実施形態を採用したトップガイドを装着する中通し竿は、図１に示すように、内部に釣糸が挿通可能な釣糸通路１００（図３参照）を有する元竿１と、元竿１の穂先側に順次振出形式で連結される元上竿２，中竿３、穂先竿４とを有している。元竿１にはリール７を脱着自在に装着可能なリールシート８が設けられており、このリールシート８の穂先側周面上にはリール７からの釣糸Ｌを釣糸通路内に導入するための釣糸導入口９が形成されている。また、釣糸導入口９上には釣糸Ｌを釣糸導入口９へ導く釣糸導入ガイドＧが配置される。さらに、穂先竿４穂先側端部にはトップガイド１０が取り付けられている。そして、リール７からの釣糸Ｌは釣糸導入ガイドＧ，釣糸導入口９から元竿１内部の釣糸通路に導入され、順次穂先側へ導かれてトップガイド１０から外部に導出される。
【００１４】
図２示すように、穂先竿４は穂先側端部外周面には雄ねじ部材４ａが接着剤等で装着されており、この雄ねじ部材４ａを介してトップガイド１０が脱着自在に穂先竿４に装着されている。
トップガイド１０は、軸方向に貫通したパイプ状の本体部１１と、本体部１１の穂先側の開口周縁に装着される水切用リング１２と、本体部１１の内部に軸方向に移動自在に収納されるパイプ状の移動体１３とを有している。
【００１５】
本体部１１は、金属又は硬質合成樹脂等から構成されるパイプ状部材であり、竿元側端部内周面に上述の雄ねじ部材４ａに螺合する雌ねじ部分が形成されている。また、本体部１１の穂先側端部内周面には径内方向に突出するフランジ１１ａが形成されている。
水切用リング１２は、本体部１１の穂先側径乃至開口径にあわせて形成されたリング状の部材である。スチレンゴム・ウレタンゴム等のゴム部材から形成されており、特に、穂先側内周面は穂先側ほど大径化するように湾曲面化されている。この水切用リング１２は本体部１１に対して接着剤等によって直接接着されるが、交換可能なように脱着式にしてもよい。
【００１６】
移動体１３は、本体部１１と同様に金属又は硬質合成樹脂等から構成されるパイプ状の部材である。移動体１３の穂先側の内周面は穂先側ほど大径化するような湾曲面に加工されている。この移動体１３の径及び軸方向長さは上述の本体部１１内に収納可能な程度に設定される。例えば、穂先竿４を上方に向けて移動体１３を竿元側に移動させると、移動体１３は本体部１１内に完全に収納される（収納状態：図４参照）。また、移動体１３の竿元側端部外周面には径外方向に突出するフランジ１３ａが設けられている。このフランジ１３ａが上述の本体部１１のフランジ１１ａに当接することで、移動体１３は本体部１１の穂先側に抜け落ちないようになっている。なお、これらのフランジ１１ａ，１３ａが当接するように移動体１３が穂先側に移動した状態（突出状態：図３参照）にあっては、移動体１３の穂先側端部が水切用リング１２よりも穂先側に位置するように、移動体１３の長さ（移動体１３の穂先側端部よりフランジ１３ａまでの軸方向長さ）が設定される。
【００１７】
このトップガイド１０を穂先竿４の穂先側に装着した中通し竿では、上述のように、リール７からの釣糸Ｌは各竿体内部を挿通してトップガイド１０の本体部１１及び移動体１３を挿通し、穂先側に導出されることになる。
水中に投ぜられ水が付着した釣糸Ｌから付着した水を排水したい場合には、図４に示すように、釣人は中通し竿を上方に傾けてトップガイド１０の本体部１１内の移動体１３を手元側に移動させて収納状態とする。この収納状態では、釣糸Ｌが本体部１１の穂先側の開口周縁に配置される水切用リング１２に当接して変角することになり、釣糸Ｌに付着した水がこの水切用リング１２によってそぎ落とされ排水される。
【００１８】
一方、水を排水する必要が無く円滑に釣糸Ｌを導出若しくは巻き取りたい場合には、図３に示すように、釣人は中通し竿を水平乃至下方に傾けてトップガイド１０の本体部１１内の移動体１３を穂先側に移動させて突出状態とする。また、仕掛けを水中に投げ込むキャスティングの際にも、移動体１３は本体部１１内を穂先側に移動して突出状態となる。この突出状態では、移動体１３の穂先側端部は本体部１１・水切用リング１２の穂先側に突出しており、釣糸Ｌは水切用リング１２に接触することなく、移動体１３の穂先側端部内周面にのみ当接する。よって、滑動抵抗が増大することなく円滑な釣糸Ｌの出し入れが可能となる。
【００１９】
［第２実施形態］
上記第１実施形態の変形例を第２実施形態として示す。
図５に示すように、本発明の第２実施形態を採用するトップガイド２０も、穂先竿４の穂先側端部に脱着自在に装着されている。そして、本体部２１、本体部２１の穂先側に装着される水切用リング２２、本体部２１内に配置される移動体２３とを有している。
【００２０】
本体部２１は上記第１実施形態と同種のものであるが、そのパイプ状の外側面に排水用の貫通孔が形成されている。貫通孔は一カ所のみではなく、周方向に間隔を隔てて複数箇所に複数個設けてもよい。
水切用リング２２は、上記第１実施形態と同様のゴム素材からなるリング部材である。そのリングの内周面には、周方向に間隔を隔てて軸方向に伸びる複数の凹溝が形成されている。この凹溝は釣糸がちょうどはまりこむ程度の幅を有するものとするのが好ましい。
【００２１】
なお、その他の構造は上記第１実施形態と同様である。
このようなトップガイド２０を穂先竿４の穂先側端部に装着した中通し竿でも、第１実施形態と同様にして、釣糸に付着する水をそぎ落として排水できる。特に、釣糸が水切用リング２２の適当な凹溝にはまりこむので、排水作用が円滑化されている。また、釣糸に付着しているゴミなども除去される。そして、このようにして、釣糸からそぎ落とされた水は本体部２１内に落ち込んでも、本体部２１の排水孔から外部に排水され、トップガイド２０の本体部２１内に溜まってしまうこともない。
【００２２】
［他の実施形態］
（ａ）上記各実施形態では、移動体に直接釣糸を当接させているが、図６に示すような移動体３３を採用することも可能である。この移動体３３は穂先側端縁にセラミックス製のガイドリング３３ａを装着している。釣糸をこのガイドリング３３ａで案内することで、釣糸の出し入れをさらに円滑にする。
（ｂ）図７に示すような、トップガイド４０を採用してもよい。このトップガイド４０の本体部４１内には、移動体４３と穂先竿４との間にコイルバネ４５が配置される。その他の構成は第１実施形態と同様である。コイルバネ４５は穂先竿４の穂先側端面と移動体４３の竿元側端面とにその軸方向両端が当接している。そして、移動体４３を穂先側に付勢している。
【００２３】
釣糸を繰り出す際等においては、移動体４３が穂先側に付勢されており、釣糸Ｌは水切用リング４２に接触することなく移動体４３の内部のみに接触する。釣糸Ｌをリールに巻き取る場合等にあっては、釣糸Ｌがリールに巻き取られる際に生じる移動体４３との摩擦によって、移動体４３もコイルバネ４５の付勢力に逆らって竿元側に引き寄せられる。そして、釣糸Ｌは水切用リング４２に接触することになり、水切用リング４２が釣糸Ｌに付着している水を切り落とす。
【００２４】
【発明の効果】
本発明に係るトップガイドによれば、釣糸に付着した水を容易に排水できるとともに、釣糸の円滑な出し入れも大きく阻害することがない。
【図面の簡単な説明】
【図１】第１実施形態を採用したトップガイド１０を装着する中通し竿の全体図。
【図２】図１のトップガイド１０の断面図。
【図３】図１のトップガイド１０の突出状態を示した図。
【図４】図１のトップガイド１０の収納状態を示した図。
【図５】本発明の第２実施形態を採用したトップガイド２０を示した図。
【図６】他の実施形態を採用するトップガイドの移動体３３を示した図。
【図７】さらに別の実施形態を採用したトップガイド４０を示した図。
【符号の説明】
４　穂先竿
１０，２０，４０　トップガイド
１１，２１，４１　本体部
１２，２２，４２　水切用リング
１３，２３，３３，４３　移動体
４５　コイルバネ
【図１】
2004097024.tif 000003
【図２】
2004097024.tif 000004
【図３】
2004097024.tif 000005
【図４】
2004097024.tif 000006
【図５】
2004097024.tif 000007
【図６】
2004097024.tif 000008
【図７】
2004097024.tif 000009